(57)【要約】【課題】  便器のボウル部内を清掃したブラシでボウル部内で簡単且つ確実に洗浄する。【解決手段】  便器１に取付けられる便座装置２に、洗浄水を供給する洗浄水供給水路３と、洗浄水供給水路３から供給される洗浄水を便器１のボウル部４内に向けて吐出するためのブラシ洗浄用ノズル５を設ける。【選択図】        図１
2006271562.tif 000002
【特許請求の範囲】
【請求項１】
便器に取付けられる便座装置に、洗浄水を供給する洗浄水供給水路と、洗浄水供給水路から供給される洗浄水を便器のボウル部内に向けて吐出するためのブラシ洗浄用ノズルを設けて成ることを特徴とする便座装置。
【請求項２】
上記洗浄水供給水路と、ブラシ洗浄用ノズルと、人体の局部を洗浄する局部洗浄ノズルとを備え、洗浄水供給水路から供給される洗浄水をブラシ洗浄用ノズル側に供給するか、局部洗浄ノズル側に供給するかを切換えるための切換え手段を設けて成ることを特徴とする請求項１記載の便座装置。
【請求項３】
ブラシ洗浄用ノズルから吐出する洗浄水が温水であることを特徴とする請求項１又は請求項２記載の便座装置。
【請求項４】
ブラシ洗浄用ノズルから末広がり状に広角に洗浄水が吐出されるようにして成ることを特徴とする請求項１乃至請求項３のいずれかに記載の便座装置。
【請求項５】
便座装置にボウル部内に向けて送風するための送風手段を設けて成ることを特徴とする請求項１乃至請求項４のいずれかに記載の便座装置。
【発明の詳細な説明】
【技術分野】
【０００１】
本発明は、便器のボウル部内を掃除するブラシをボウル部内で洗浄するための技術に関するものである。
【背景技術】
【０００２】
従来から便器のボウル部は汚物で汚れるので、専用のブラシでボウル部を清掃するようにしている。ボウル部を清掃した後は、ブラシを洗浄して綺麗にする必要があるが、このブラシの洗浄に当たっては、汚物を清掃したブラシであるため、便器以外の他の場所で洗浄するには抵抗がある。このため、一般にはボウル部に水を供給するためのロータンクの蓋を開けてロータンク内で洗浄するが、汚水がついたままボール部からロータンクまでブラシを移動する際に、ブラシから汚水がこぼれて便器やトイレの床を汚してしまうという問題があり、更に、ロータンク内におけるブラシ洗浄はし難いという問題がある。
【０００３】
また、近年はロータンクの無い便器も有り、このような場合にはブラシの洗浄に困り、例えば、ボウル部内にボウル部を洗浄する洗浄水を流し、この洗浄水でブラシを洗浄するしか方法がない。しかしながら、ボウル部内を洗浄する洗浄水はボウル部のリム部からボウル部の全内面に沿うように薄く広く給水されるため、このボウル部の全内面に沿って薄く広く流れる洗浄水のごく一部でブラシを洗浄することになり効果的にブラシを洗浄することができず、このため、何度も大量の洗浄水を流してブラシを洗浄する必要があり、大量の水が必要となり、また、ボウル部の内面に沿って流れる洗浄水で洗浄するにはブラシをボウル部の内面に接触しながら洗浄しなければならず、ボウル部の内面から離してブラシのみを洗浄する場合に比べて、ブラシが綺麗に洗浄されたという満足感を得ることができず、また、ボウル部に付着した汚れが再付着するおそれもある。
【０００４】
しかも、ロータンク内やボウル部内でブラシを洗浄した場合、洗浄後に濡れたブラシをブラシ置き場まで移動しなければならず、便器や床を濡らすという問題がある。
【０００５】
なお、従来から局部洗浄便座装置が便器には取付けてあり（例えば、特許文献１参照）、局部洗浄便座装置に設けた局部洗浄ノズルから温水を人体の局部に噴出して人体の局部を洗浄するようにしたものはある。
【０００６】
しかしながら、従来にあっては、ブラシをボウル部内で洗浄する際に洗浄水をブラシ洗浄用の洗浄水をボウル部内に吐出するようなものは存在しなかった。
【特許文献１】特開２０００−３３３８８３号公報
【発明の開示】
【発明が解決しようとする課題】
【０００７】
本発明は上記の従来の問題点に鑑みて発明したものであって、便器のボウル部内を清掃したブラシをボウル部内で簡単且つ確実に洗浄することができる便座装置を提供することを課題とするものである。
【課題を解決するための手段】
【０００８】
上記課題を解決するために本発明に係る便座装置は、便器１に取付けられる便座装置２に、洗浄水を供給する洗浄水供給水路３と、洗浄水供給水路３から供給される洗浄水を便器１のボウル部４内に向けて吐出するためのブラシ洗浄用ノズル５を設けて成ることを特徴とするものである。
【０００９】
このような構成とすることで、ブラシ９で便器１のボウル部４内の清掃を行った後、便座装置２に設けたブラシ洗浄用ノズル５から洗浄水をボウル部４内に吐出して、該ブラシ洗浄用ノズル５から吐出する洗浄水によりボウル部４内でブラシ９の洗浄を行うことができる。
【００１０】
また、上記洗浄水供給水路３と、ブラシ洗浄用ノズル５と、人体の局部を洗浄する局部洗浄ノズル６とを備え、洗浄水供給水路３から供給される洗浄水をブラシ洗浄用ノズル５側に供給するか、局部洗浄ノズル６側に供給するかを切換えるための切換え手段７を設けることが好ましい。
【００１１】
このような構成とすることで、便座装置２に設けた共通の洗浄水供給水路３から供給される洗浄水を切換え手段７の切換えで、局部洗浄として用いたり、ブラシ洗浄として用いたりでき、構造を簡略化できる。
【００１２】
また、ブラシ洗浄用ノズル５から吐出する洗浄水が温水であることが好ましい。
【００１３】
このような構成とすることで、温水でブラシ９を洗浄することができて、温水により洗浄性が向上し、特に、ブラシ９に付着した汚物に含まれる油分は水では十分に洗浄除去できないが、温水で洗浄することで、ブラシ９に付着した汚物に含まれる油分を効果的に洗浄除去できる。
【００１４】
また、ブラシ洗浄用ノズル５から末広がり状に広角に洗浄水が吐出されるようにすることが好ましい。
【００１５】
このような構成とすることで、便器１のボウル部４を洗浄するための市販の巾広のブラシ９をブラシ洗浄用ノズル５から末広がり状に広角に吐出される洗浄水で効果的に洗浄することができる。
【００１６】
また、便座装置２にボウル部４内に向けて送風するための送風手段８を設けることが好ましい。
【００１７】
このような構成とすることで、ボウル部４内でブラシ９の洗浄をした後、送風手段８からボウル部４内に向けて送風することで洗浄後のブラシ９をボウル部４内で乾燥させることができて飛散水がボウル部４の外に飛び出して床を濡らしたりせず、また、濡れたままのブラシ９をボウル部４から取出してブラシ置き場に置くというようなことがなく、ブラシ９からこぼれる水で便器１や床を濡らすことがない。
【発明の効果】
【００１８】
本発明は、ボウル部内の清掃を行った後のブラシをボウル部内で簡単に洗浄することができ、洗浄に当たって多量の洗浄水を必要としない。
【発明を実施するための最良の形態】
【００１９】
以下、本発明を添付図面に示す実施形態に基いて説明する。
【００２０】
便器１には便座装置２が取付けてある。便座装置２は便器１の後部に取付ける本体部１０に便座２４、便蓋２５を回動自在に取付けて構成してあり（なお、便蓋は設けない場合もある）、本体部１０には少なくとも、洗浄水を供給する洗浄水供給水路３と、洗浄水供給水路３から供給される洗浄水を便器１のボウル部４内に向けて吐出するためのブラシ洗浄用ノズル５を設けてある。
【００２１】
添付図面に示す実施形態においては、便座装置２が局部洗浄便座の例が示してあり、本体部１０には上記ブラシ洗浄用ノズル５の他に局部洗浄ノズル６が設けてあり、また、局部洗浄ノズル６に洗浄水を供給するための給水路が上記洗浄水供給水路３を兼用している。
【００２２】
図１にはその配管構成図が示してある。本体部１０に設けた洗浄水供給水路３は一端部が水道配管に接続されるもので、洗浄水供給水路３に給水弁１２、ポンプ１１、温水タンクのような加熱手段１４を設け、更に、加熱手段１４の下流側に切換え弁のような切換え手段７を介してブラシ洗浄用ノズル５、局部洗浄ノズル６が接続してある。局部洗浄ノズル６は臀部洗浄ノズル６ａと、ビデ洗浄ノズル６ｂとがあり、切換え手段７により上記洗浄水供給水路３にブラシ洗浄用ノズル５が連通したり、あるいは、臀部洗浄ノズル６ａが連通したり、あるいは、ビデ洗浄ノズル６ｂが連通したりするのが切換えることができるようになっている。ブラシ洗浄用ノズル５からはボウル部４内に向けて前下方に洗浄水が吐出されるようになっており、臀部洗浄ノズル６ａやビデ洗浄ノズル６ｂからは前上方に向けて洗浄水が吐出されるようになっている。
【００２３】
本体部１０には、更に、送風手段８、送風手段８で送風される風を加熱するためのヒータ１５が設けてあり、送風手段８から送風された温風は本体部１０に設けた送風口１６から吐出するようになっており、この送風口１６には送風方向切換え手段１７が設けてあり、送風方向切換え手段１７を切換えることで、送風口１６から温風が前方又はやや前上方に向けて送風されたり、あるいは、ボウル部４内に向けて前下方に送風されたりするのが切換えられるようになっている。
【００２４】
図６には本発明の便座装置２を操作するための操作部１８が示してあり、局部洗浄待機モードとブラシ洗浄待機モードとに切換えるための切換えスイッチ部１９、臀部洗浄スイッチ部２０、ビデ洗浄スイッチ部２１、送風スイッチ部２２、ブラシ洗浄スイッチ部２３が設けてある。ここで、切換えスイッチ部１９を操作して局部洗浄待機モードにした状態で臀部洗浄スイッチ部２０をオン操作すると、給水弁１２が開くと共にポンプ１１がオンとなり、洗浄水（温水）が臀部洗浄ノズル６ａから便座２４に座った利用者の臀部に噴射され、臀部の洗浄を行うものであり、臀部洗浄スイッチ部２０をオフ操作すると給水弁１２が閉じると共にポンプ１１がオフになって臀部洗浄ノズル６ａからの洗浄水の吐出が停止され、また、局部洗浄待機モードにした状態でビデ洗浄スイッチ部２１をオン操作すると、給水弁１２が開くと共にポンプ１１がオンとなり、洗浄水（温水）がビデ洗浄ノズル６ｂから噴射されてビデ洗浄を行うものであり、ビデ洗浄スイッチ部２１をオフ操作すると給水弁１２が閉じると共にポンプ１１がオフになってビデ洗浄ノズル６ｂからの洗浄水の吐出が停止され、また、局部洗浄待機モードにした状態で送風スイッチ部２２をオン操作すると、送風手段８、ヒータ１５がオンとなって温風が送風口１６から送風されるのであるが、この場合、同時に送風方向切換え手段１７が回動して図３（ｂ）のように送風口１６から送風される温風の向きが前方又はやや前上方に向かうように切換えられて便座２４に座った利用者の臀部付近に温風を吹き付けて乾燥させ、送風スイッチ部２２をオフ操作すると、送風手段８、ヒータ１５がオフとなって送風が停止される。
【００２５】
一方、切換えスイッチ部１９を操作してブラシ洗浄待機モードに切換えた状態で、ブラシ洗浄スイッチ部２３を操作すると、給水弁１２が開くと共にポンプ１１がオンとなり、洗浄水（温水）がブラシ洗浄用ノズル５からボウル部４内に向けて斜め前下方に吐出し、ブラシ洗浄スイッチ部２３をオフ操作すると給水弁１２が閉じると共にポンプ１１がオフになってブラシ洗浄用ノズル５からの洗浄水の吐出が停止され、また、ブラシ洗浄待機モードで送風スイッチ部２２をオン操作すると、送風手段８、ヒータ１５がオンとなって温風が送風口１６から送風されるのであるが、この場合、同時に図３（ａ）のように送風方向切換え手段１７が回動して送風口１６から送風される温風の向きが斜め前下方となるように切換えられ、温風がボウル部４内に向けて斜め下方に向けて送風され、送風スイッチ部２２をオフ操作すると、送風手段８、ヒータ１５がオフとなって送風が停止される。
【００２６】
しかして、通常は局部洗浄待機モードにして一般の局部洗浄便座装置と同様にして使用する。一方、便器１のボウル部４を清掃する場合は、ブラシ９によりボウル部４内を清掃するのであるが、ブラシ９によるボウル部４内の清掃が終わると、切換えスイッチ部１９を操作してブラシ洗浄待機モードに切換え、更に、ブラシ洗浄スイッチ部２３をオン操作してブラシ洗浄用ノズル５からボウル部４内に向けて斜め前下方に洗浄水を吐出し、このようにボウル部４内に向けて斜め前下方に向けて吐出する洗浄水で図２のようにブラシ９を洗浄するのである（図２においてイは洗浄水を示す）。このブラシ９の洗浄に当たって、ボウル部４内を清掃することで汚れたブラシ９をボウル部４内で行えるので、汚水がボウル部４の外に飛散したりせず、便器１、床等を汚水で汚すことがない。しかも、ブラシ９をボウル部４の内面に接触しないようにした状態でブラシ９のみをボウル部４内で効果的に洗浄水で洗浄することが可能で、ボウル部４内面の汚れがブラシ９に再付着するおそれがなく、利用者はブラシ９を綺麗に洗浄したという満足感を得ることができる。
【００２７】
ここで、ブラシ洗浄用ノズル５から洗浄水を吐出するに当たって、図２のようにブラシ洗浄用ノズル５から末広がり状に広角に洗浄水が吐出されるようにすると、便器１のボウル部４を洗浄するための市販の巾広のブラシ９をブラシ洗浄用ノズル５から末広がり状に広角に吐出される洗浄水でブラシ９の広い範囲を効果的に洗浄することができることになる。
【００２８】
ブラシ洗浄用ノズル５から洗浄水を広角に吐出するには、例えば、ブラシ洗浄用ノズル５を図５に示すような構造とする。図５においてブラシ洗浄用ノズル５には下方に向けて開口する吐出口５ａが設けてあり、この吐出口５ａの下方にブラシ洗浄用ノズル５の軸心方向に対して傾斜した傾斜ガイド５ｂを設けたもので、この傾斜ガイド５ｂはボウル部４の後部内の上部に位置し、ボウル部４の前方側に向けて下り傾斜しており、吐出口５ａから下方に吐出された洗浄水が前方側に向けて下り傾斜した傾斜ガイド５ｂに衝突し、傾斜ガイド５ｂに沿って流れることで前方にガイドされながら面的に広がり、傾斜ガイド５ｂの端縁部から斜め前下方に向けて末広がり状に吐出することになる。
【００２９】
ところで、ブラシ洗浄用ノズル５から温水を洗浄水として吐出することで、ブラシ９は温水洗浄されるので、冷水で洗浄する場合に比べ、ブラシ９の洗浄効率が上がるものである。ブラシ９洗浄時にブラシ洗浄用ノズル５から吐出する温水の温度は、温水タンクのような加熱手段１４で加熱するに当たって、局部洗浄の際に温水タンクのような加熱手段１４で加熱する温水の最高加熱温度（通常４０℃）よりも更に高い温度（例えば５０℃以上）となるように設定してあり、このように、局部洗浄の際の温水温度よりも高い温度の温水を吐出してブラシ洗浄をすることで、よりいっそうブラシ９の洗浄効率が良くなるものであり、特に、ブラシ９に付着した汚物の油分を温水で良好に洗浄することができる。
【００３０】
上記のようにしてボウル部４内でブラシ洗浄用ノズル５から吐出する洗浄水によりブラシ９の洗浄が終わると、ブラシ洗浄スイッチ部２３をオフ操作してブラシ洗浄用ノズル５からの洗浄水の吐出を停止する。次に、ブラシ洗浄待機モードのまま送風スイッチ部２２をオン操作し、送風手段８、ヒータ１５がオンとなって温風が送風口１６から送風されるのであるが、この場合、同時に送風方向切換え手段１７により送風口１６から送風される温風の向きが斜め前下方となるように切換えられ、温風がボウル部４内に向けて斜め下方に向けて送風されてボウル部４内においてブラシ９を乾燥する。この場合、温風によりブラシ９に付着している水滴が飛散するが、図４に示すように温風（図４においてロは温風を示す）がボウル部４内に向けて斜め下方に向けて送風されてボウル部４内でブラシ９の乾燥をするので、飛散した水滴がボウル部４の外に飛び出さないようにでき、床等を濡らすことがない。なお、この乾燥の際、ヒータ１５をオンにすることなく、冷風のみで乾燥するようにしてもよい。
【００３１】
上記ブラシ９の乾燥が終わると、切換えスイッチ部１９を操作して局部洗浄待機モードに切換え、通常の温水洗浄便座装置として使用する。
【図面の簡単な説明】
【００３２】
【図１】本発明の概略構成図である。
【図２】同上のブラシを洗浄している状態を示す斜視図である。
【図３】（ａ）は同上のブラシ乾燥の場合の送風方向を示す説明図であり、（ｂ）は局部乾燥の場合の送風方向を示す説明図である。
【図４】同上のブラシを乾燥している状態を示す斜視図である。
【図５】同上のブラシ洗浄用ノズルの一例を示す斜視図である。
【図６】同上の操作部の一例を示す正面図である。
【符号の説明】
【００３３】
１  便器
２  便座装置
３  洗浄水供給水路
４  ボウル部
５  ブラシ洗浄用ノズル
６  局部洗浄ノズル
７  切換え手段
８  送風手段
【図１】
2006271562.tif 000003
【図２】
2006271562.tif 000004
【図３】
2006271562.tif 000005
【図４】
2006271562.tif 000006
【図５】
2006271562.tif 000007
【図６】
2006271562.tif 000008